(57)【要約】【課題】熱伝導効率に優れ、消費電力を節減できる一体成型加熱ワイヤ埋設便座の提供。【解決手段】便座Ｓと便座Ｓに固定された加熱アッセンブリＳ２を有し、便座Ｓが複数層のガラス繊維マット強化プラスチック層の積層体、複数層の強化プラスチック層の積層体及び単層の強化プラスチック層のいずれかで形成され、加熱アッセンブリＳ２が加熱ワイヤＳ２１、加熱ワイヤＳ２１の両端に連結された第１連結器Ｓ２２、変圧器Ｓ２４とプラグＳ２５が接続され、第１連結器Ｓ２２内に挿入可能な第２連結器Ｓ２３を備え、加熱ワイヤＳ２１が便座Ｓに沿って環状に便座Ｓ内部に埋設され、且つ加熱ワイヤＳ２１と便座Ｓが隙間なく接触し、加熱ワイヤＳ２１に電源が導通されると、加熱ワイヤＳ２１の熱エネルギーを迅速に便座Ｓの表面に伝導する。【選択図】図５
0003164681.tif 000002
【実用新案登録請求の範囲】
【請求項１】
複数層のガラス繊維マット強化プラスチック層の積層体、複数層の強化プラスチック層の積層体及び単層の強化プラスチック層のうちのいずれかで形成された便座と、便座に設置された加熱アッセンブリとから成り、前記加熱アッセンブリが加熱ワイヤ、加熱ワイヤの両端に連結された第１連結器、変圧器とプラグが接続された第２連結器を備え、前記第２連結器を前記第１連結器内に挿入可能であり、前記加熱ワイヤが前記便座に沿って環状に前記便座内部に埋設され、且つ前記加熱ワイヤと前記便座が隙間なく接触して結合されたことを特徴とする、一体成型加熱ワイヤ埋設便座。
【請求項２】
前記加熱ワイヤが金属または非金属の加熱ワイヤであることを特徴とする、請求項１に記載の一体成型加熱ワイヤ埋設便座。
【請求項３】
前記非金属の加熱ワイヤが可撓性の炭素繊維加熱ワイヤまたはグラファイト繊維加熱ワイヤであることを特徴とする、請求項２に記載の一体成型加熱ワイヤ埋設便座。
【請求項４】
前記単層の強化プラスチック層の内部に充填物が均一に分布されていることを特徴とする、請求項１に記載の一体成型加熱ワイヤ埋設便座。
【請求項５】
前記充填物が、粉状または長い繊維形態の木粉(ｗｏｏｄ  ｆｌｏｕｒｓ) 、セルロースパルプ(ｃｅｌｌｕｌｏｓｅ  ｐｕｌｐ)、石綿、マイカ、セラミック粉及び遠赤外線放射粉体のいずれかであることを特徴とする、請求項４に記載の一体成型加熱ワイヤ埋設便座。
【考案の詳細な説明】
【技術分野】
【０００１】
本考案は、内部に加熱ワイヤが埋設されて、加熱ワイヤと便座とが隙間なく接触している一体成型加熱ワイヤ埋設便座に関する。
【背景技術】
【０００２】
一般的に使用されている便器は、主として便器本体と水タンクとから構成される。便器本体は主に陶器製品であり、ひんやりとした感覚があるため、便器本体の上方に通常はプラスチック製の便座が追加され、冷たさの問題を克服している。しかしながら、気温が下がるとプラスチック製の便座でもかなり冷たく感じることがある。
このため、加熱管を利用して便座を人の体温に近い温度にし、トイレを使用するときより快適に使用できるようにしたものが市販されている。
【０００３】
図１に示す従来の便座ａは、主に上下対称のプラスチックカバー体ｂとプラスチック便座ｃを含み、且つプラスチックカバー体ｂの底面に複数の下凹陥溝ｂ１が形成され、プラスチック便座ｃの上面に複数の上凹陥溝ｃ１が形成され、各上下凹陥溝ｂ１、ｃ１の中に複数の加熱管ｄが収容される。そしてプラスチックカバー体ｂとプラスチック便座ｃが貼り合わせられ、各加熱管ｄが加熱されて熱を発生すると、プラスチックカバー体ｂを通して上に向かって熱が伝導され、加温効果が達せられる。しかしながら、加熱管ｄが加熱されるとき、プラスチックカバー体ｂは相当の厚みがあるため、熱伝導効率上理想的であるとは言えず、電力の過度の損耗を引き起こしてしまう。
【考案の概要】
【考案が解決しようとする課題】
【０００４】
本考案が解決しようとする課題は、熱伝導効率に優れ、消費電力を節減できる一体成型加熱ワイヤ埋設便座を提供することにある。
【課題を解決するための手段】
【０００５】
本考案の一体成型加熱ワイヤ埋設便座は、複数層のガラス繊維マット強化プラスチック層の積層体、複数層の強化プラスチック層の積層体及び単層の強化プラスチック層のうちのいずれかで形成された便座Ｓと、便座Ｓに設置された加熱アッセンブリＳ２とから成り、加熱アッセンブリＳ２は加熱ワイヤＳ２１、加熱ワイヤＳ２１の両端に連結された第１連結器Ｓ２２及び変圧器Ｓ２４とプラグＳ２５が接続された第２連結器Ｓ２３を備え、第２連結器Ｓ２３は第１連結器Ｓ２２内に挿入可能であり、加熱ワイヤＳ２１は便座Ｓに沿って環状に便座Ｓ内部に埋設され、且つ加熱ワイヤＳ２１と便座Ｓは隙間なく接触して結合されている。
【０００６】
加熱ワイヤＳ２１は金属または非金属の加熱ワイヤとし、前記非金属の加熱ワイヤＳ２１は可撓性の炭素繊維加熱ワイヤまたはグラファイト繊維の加熱ワイヤとすることができる。
前記単層の強化プラスチック層の内部に充填物を均一に分布してもよい。この場合、前記充填物は、粉状または長い繊維形態の木粉(ｗｏｏｄ  ｆｌｏｕｒｓ) 、セルロースパルプ(ｃｅｌｌｕｌｏｓｅ  ｐｕｌｐ)、石綿、マイカ、セラミック粉及び遠赤外線放射粉体のいずれかである。
【考案の効果】
【０００７】
本考案によれば、加熱ワイヤと便座が一体成型されて、隙間なく接触しているので、加熱ワイヤで発生した熱エネルギーが効率良く速やかに便座の表面に伝導され、このため、発熱に要する電力の消費量を節減できる。
【図面の簡単な説明】
【０００８】
【図１】従来の便座の断面図である。
【図２】本考案の実施例１に係る便器の正面図である。
【図３】本考案の実施例１を示す便座の平面図である。
【図４】本考案の実施例１に係る加熱アッセンブリの分解斜視図である。
【図５】本考案の実施例１を示す便座の分解平面図である。
【図６】図５のＡ−Ａ断面図である。
【図７】本考案の実施例２を示す便座の断面図である。
【図８】本考案の実施例２に係るガラス繊維強化プラスチック層の断面図である。
【図９】本考案の実施例３を示す便座の断面図である。
【考案を実施するための形態】
【０００９】
以下、図面に基づいて本考案の実施例を詳細に説明する。
図２〜図６は本考案の実施例１を示す。
本実施例に係る便器は、図２及び図３に示すように、本体Ｎ、便座Ｓ、便蓋Ｃ、及び、水タンクＴから成り、便座Ｓに加熱アッセンブリＳ２が設置される。
図３及び図４に示すように、加熱アッセンブリＳ２は、加熱ワイヤＳ２１、加熱ワイヤＳ２１の両端に連結された第１連結器Ｓ２２、変圧器Ｓ２４とプラグＳ２５が接続された第２連結器Ｓ２３を備え、第２連結器Ｓ２３は第１連結器Ｓ２２内に挿入することができる。
【００１０】
図５に示すように、第１連結器Ｓ２２は便座Ｓの後端部または便座Ｓの外に延伸して固定設置することができ、第１連結器Ｓ２２に加熱ワイヤＳ２１の両端を接続して便座Ｓ内に埋設し、プラグＳ２５をコンセントに接続すると、電源を導通して加熱ワイヤＳ２１を発熱させることができる。
加熱ワイヤＳ２１は金属または非金属の加熱ワイヤとすることができ、非金属の加熱ワイヤは可撓性の炭素繊維加熱ワイヤまたはグラファイト繊維加熱ワイヤとすることができる。
【００１１】
図６に示すように、便座Ｓは、樹脂をホットプレスして成型した単層の強化プラスチック層Ｓ１０より成る。
また、強化プラスチック層Ｓ１０の内部には充填物Ｓ１０１が均一に分布されている。充填物Ｓ１０１は、粉状または長い繊維形態の木粉(ｗｏｏｄ  ｆｌｏｕｒｓ) 、セルロースパルプ(ｃｅｌｌｕｌｏｓｅ  ｐｕｌｐ)、石綿、マイカ、セラミック粉及び遠赤外線放射粉体のいずれかとすることができる。
【００１２】
図５及び図６に示すように、加熱アッセンブリの加熱ワイヤＳ２１は便座Ｓに沿って環状に便座Ｓ内部に埋設され、且つ加熱ワイヤＳ２１と便座Ｓは完全に隙間なく接触して設置される。加熱ワイヤＳ２１の最良の設置位置は便座Ｓ上半部の便座Ｓ表面近くとする。このため、加熱ワイヤＳ２１に電源が導通されると、加熱ワイヤＳ２１の熱エネルギーが迅速に便座Ｓ表面に伝導され、温熱で快適な便座を提供することができる。
便座Ｓはホットプレス成型され、加熱ワイヤＳ２１は便座Ｓのホットプレス成型時に同時に便座Ｓの中に埋設され、一体成型加熱ワイヤ埋設便座が形成される。
【００１３】
図７は、本考案の実施例２を示す。
便座Ｓは、複数層のガラス繊維マット強化プラスチック層Ｓ２０を重ねて圧縮成型した積層体より成る。ガラス繊維マット強化プラスチック層Ｓ２０は、図８に示すように、樹脂Ｓ２６を含浸したガラス繊維マットＳ２７である。
本実施例においても、加熱ワイヤＳ２１は便座Ｓのホットプレス成型時に同時に便座Ｓの中に埋設される。
その他の構成は実施例１とほぼ同様である。
【００１４】
図９に本考案の実施例３を示す。
便座Ｓは複数層の強化プラスチック層Ｓ３０を積層した積層体より成る。強化プラスチック層Ｓ３０は樹脂を成型して形成される。加熱ワイヤＳ２１は便座Ｓのホットプレス成型時に同時に便座Ｓの中に埋設される。
その他の構成は、実施例１及び２と同様である。
【符号の説明】
【００１５】
ａ        便座
ｂ        プラスチックカバー体
ｂ１      下凹陥溝
ｃ        プラスチック便座
ｃ１      上凹陥溝
ｄ        加熱管
Ｎ        本体
Ｓ        便座
Ｃ        便蓋
Ｔ        水タンク
Ｓ２      加熱アッセンブリ
Ｓ２１    加熱ワイヤ
Ｓ２２    第１連結器
Ｓ２３    第２連結器
Ｓ２４    変圧器
Ｓ２５    プラグ
Ｓ１０    強化プラスチック層
Ｓ１０１  充填物
Ｓ２０    ガラス繊維マット強化プラスチック層
Ｓ２６    樹脂
Ｓ２７    ガラス繊維マット
Ｓ３０    強化プラスチック層
【図１】
0003164681.tif 000003
【図２】
0003164681.tif 000004
【図３】
0003164681.tif 000005
【図４】
0003164681.tif 000006
【図５】
0003164681.tif 000007
【図６】
0003164681.tif 000008
【図７】
0003164681.tif 000009
【図８】
0003164681.tif 000010
【図９】
0003164681.tif 000011